(57)【特許請求の範囲】
【請求項１】
機器収納用ラック内に配設されるケーブルを前後方向に案内するためにラック内において前後方向に組み付けられる補助レールであって、
載置されたケーブルを保持するよう左右壁面を有する断面略コ字状のケーブル案内部を有すると共に、前記ケーブル案内部の底面に、或いは底面から他方の壁面にかけて、正方形或いは横長の複数の開口部を有し、
前記ケーブル案内部の一方の壁面の前後を延長してラックの前後端部に立設されているアングル枠間に掛け渡す長さとし、延長した両端部に前記アングル枠にねじ止めするための透孔を設け、
更に延設した一方の壁面の上部に、前記ケーブル案内部の外側に向けて機器を載置可能な平坦な載置部を設けたことを特徴とする機器収納用ラックの補助レール。
【請求項２】
前後に立設されているアングル枠間に請求項１に記載の補助レールを掛け渡して成ることを特徴とする機器収納用ラック。
【発明の詳細な説明】
【技術分野】
【０００１】
本発明は、通信機器や電気機器を収納する機器収納用ラックにおいて、機器に接続されるケーブルの案内や結束に使用する補助レールに関する。
【背景技術】
【０００２】
ラックに搭載した機器に接続されるケーブルは、ラックの下方や上方から導入されてラック内で引き回されて個々の機器のケーブル接続部まで配設されて接続される。そのため、通常ラックの４隅にはケーブルを引き回すための配設空間が上下に渡り設けられている。ところが、ケーブルをラックの中央部付近で上下方向に配設したい場合や前後方向へ配設したい場合もあり、そのような場合は別途案内部材を必要とした。例えば、特許文献１に開示されているようなケーブルサポートがラック内に取り付けられ、ケーブルを結束して案内していた。
【先行技術文献】
【特許文献】
【０００３】
【特許文献１】特開２００３−２２９６８１号公報
【発明の概要】
【発明が解決しようとする課題】
【０００４】
上記ケーブルサポートは、ケーブルを前後方向に引き回す場合も使用でき、途中結束部材部材により結束することで良好に配設することができた。しかしながら、結束する作業はラック側面側での作業になるため、面倒な作業となっていた。
【０００５】
一方で、ラックに搭載される機器は、機器前面の左右に設けられたマウント部をラックの左右に配設されたマウントアングルにねじ止めすることで固定されて搭載されるため、側部や後部は特に固定されない。そのため、搭載する機器に奥行きがあり比較的重量が大きく、マウントアングルに機器の一端を固定するだけでは固定が十分でない場合は、別途機器の後部を支持する部材をラックに取り付けていた。
図４は、このような部材を取り付ける様子を示しており、（ａ）はラックに取り付ける状態を示す斜視説明図、（ｂ）は要部拡大図を示している。図４において、２１はラック、２２は支持金具、２３はネジであり、図４に示すようにＬ字型の支持金具２２をラック２１の左右側部にネジ止めして取り付け、この上に搭載した機器の側部を載置させて重量を支持させた。
【０００６】
このように、前後方向にケーブルを配設する場合は途中面倒な結束作業が必要であった。また、ケーブルサポート等の案内部材に加えて、上記図４に示すような支持金具２２を同一の機器に対して必要とする場合は、取付部位が重なってしまうため案内部材の取付位置を上下にずらして設置する状態が発生し、好ましい設置形態ではなかったし、取付作業が面倒であった。
【０００７】
そこで、本発明はこのような問題点に鑑み、前後方向に配設するケーブルに対して結束を必要とせずに案内でき、更に搭載機器の重量も支持できる機器収納用ラックの補助レール、及びこの補助レールを備えた機器収納用ラックを提供することを目的としている。
【課題を解決するための手段】
【０００８】
上記課題を解決する為に、請求項１の発明は、機器収納用ラック内に配設されるケーブルを前後方向に案内するためにラック内において前後方向に組み付けられる補助レールであって、載置されたケーブルを保持するよう左右壁面を有する断面略コ字状のケーブル案内部を有すると共に、前記ケーブル案内部の底面に、或いは底面から他方の壁面にかけて、正方形或いは横長の複数の開口部を有し、前記ケーブル案内部の一方の壁面の前後を延長してラックの前後端部に立設されているアングル枠間に掛け渡す長さとし、延長した両端部に前記アングル枠にねじ止めするための透孔を設け、更に延設した一方の壁面の上部に、前記ケーブル案内部の外側に向けて機器を載置可能な平坦な載置部を設けたことを特徴とするとする。
この構成によれば、前後方向に配設するケーブルをケーブル案内部に載置することで、結束を必要とせずに案内できるし、載置部を使用して搭載機器の重量も支持できる。
【０００９】
また、上下方向に配設されたケーブルは開口部を挿通させることで、結束部材を用いることなく縦方向のケーブルも案内することができ、面倒な結束作業を必要せず容易に案内できる。
【００１０】
請求項２の発明は、前後に立設されているアングル枠間に請求項１に記載の補助レールを掛け渡して成ることを特徴とする。
この構成によれば、ラック内において前後方向に配設するケーブルを結束することなく案内できるし、載置部を使用して搭載機器の重量も支持でき、ケーブルの配設や機器の搭載をスムーズに行うことができる。
【発明の効果】
【００１１】
本発明によれば、前後方向に配設するケーブルを結束することなく案内できるし、搭載機器の重量も支持できるので、別途搭載機器を支持するための支持金具を必要としない。
また、ケーブル案内部に複数の開口部を設けたことで、縦方向に配設されたケーブルも結束部材を使用することなく良好に案内できる。
【図面の簡単な説明】
【００１２】
【図１】本発明に係る機器収納用ラックの補助レールの一例を示し、（ａ）はラックに取り付ける様子を示す斜視説明図、（ｂ）は正面説明図である。
【図２】補助レールの他の例を示す斜視説明図である。
【図３】図２の補助レールにケーブルを案内させた状態を示す説明図である。
【図４】支持金具の取付説明図であり、（ａ）はラックに取り付ける状態を示し、（ｂ）は要部拡大図を示している
【発明を実施するための形態】
【００１３】
以下、本発明を具体化した実施の形態を、図面を参照して詳細に説明する。図１は本発明に係る機器収納用ラックの補助レールの一例を示し、（ａ）はラックに取り付ける様子を示す斜視説明図、（ｂ）は正面説明図であり、何れもラックの左側に設置される場合を示している。図１において、１は補助レール、２（２ａ，２ｂ）はラック側のアングル枠、３はケーブル、４は補助レール１をラックに取り付けるためのネジ、５は搭載した機器を示している。
尚、アングル枠２のうち、２ａは機器５を取り付けるためにラック前側に設置されたマウントアングル、２ｂは後方に設置されて必要に応じて各種部材が取り付けられるマウントレールである。
【００１４】
補助レール１は鋼板を折り曲げて形成され、ケーブル３を収容して案内するケーブル案内部１１と、搭載機器を載置する載置部１２と、ラックに取り付けるための取付部１３とを備えている。
【００１５】
ケーブル案内部１１は、図１（ｂ）に示すようにコ字状に折り曲げ形成された枠体であり、内側壁面１１ａ、外側壁面１１ｂ、そして底面１１ｃを有している。このうち内側壁面１１ａは前後に延長して形成され、マウントアングル２ａとマウントレール２ｂに掛け渡される長さを有している。そして、この延長部にアングル枠２に設けられている透孔２０にネジ止めするための異なる透孔１３ａ，１３ｂがそれぞれ複数穿設され、取付部１３を構成している。
【００１６】
一方、外側壁面１１ｂと底面１１ｃは、ラックの前後に配置されたマウントアングル２ａ、マウントレール２ｂの間隔に対して短い長さで形成され、マウントアングル２ａとマウントレール２ｂの間に配置できるよう形成されている。
また載置部１２は、取付部１３を備えた内側壁面１１ａの上部に連続するよう形成され、ケーブル案内部１１の外側となる横方向に折り曲げて形成され、平坦な面を備えている。
【００１７】
このように形成された補助レール１は、ケーブル案内部１１を外側に向けて、図１（ｂ）に示すように前側のマウントアングル２ａ、及び後側のマウントレール２ｂにラック内側からネジ４によりネジ止めされる。この結果、ケーブル案内部１１はラック内の機器５搭載スペースの外側に配置され、載置部１２は機器５の搭載スペースに配置される。こうして、前後方向に配設されるケーブル３を案内する案内路が形成されると共に、搭載機器５の左端部を載置する部位が形成される。
尚、図１ではラック左側に補助レール１を取り付けた場合を示しているが、補助レール１は前後反転することで、右側のアングル枠２に対しても同様に取り付けることができ、ケーブルを良好に支持し、搭載機器５の左右側部を前後に渡り支持できる。
【００１８】
このように、前後方向に配設するケーブル３をケーブル案内部１１に載置することで、結束を必要とせずに案内できるし、載置部１２により搭載機器５の重量も支持できる。
また、載置部１２は前後に渡り平坦で長く形成されているため、機器５の挿入作業、そして搭載作業をスムーズに実施できるし、載置面が長いことで重量物でも安定してして支持することが可能となる。
【００１９】
図２は本発明の補助レール１の他の形態を示している。折り曲げ形状や長さ等は上記図１の形態と同様であるが、ケーブル案内部１１の構成が異なっている。図２に示すように、ケーブル案内部１１には矩形の開口部１５が複数形成されている。
具体的に、開口部１５はラックに取り付けた際にラックの外側に向けて配置される外側壁面１１ｂから底面１１ｃに亘り形成され、横長の長方形状を成している。また、所定間隔で複数形成され、配設されるケーブル３の径に対して十分大きく開口形成されている。
【００２０】
図３は、この補助レール１に縦方向に配設されたケーブル７を案内させた様子を示している。縦に配設されたケーブル７は、図３に示すように開口部１５に挿通することで支持でき、インシュロック（登録商標）等の結束部材を使用すること無く案内できる。また、図示しないが図１の構成と同様に前後方向に配設されたケーブルに対しても引き続き良好に案内できる。
【００２１】
尚、開口部１５は外側壁面１１ｂと底面１１ｃの双方に亘り設けなくとも良く、底面１１ｃのみに設けるだけでも上下方向に配設されたケーブル７を案内できる。また、外側壁面１１ｂに形成された小さな矩形の透孔１６は、開口部１５に挿通したケーブル７に結束が必要な場合や、開口部１５に挿通することなくケーブルを支持する場合等に結束部材等を挿通するために設けられている。
【００２２】
このように、上下方向に配設されたケーブル７は開口部１５に挿通させることで案内でき、結束部材を用いることなく縦方向のケーブル７も案内することができ、縦方向のケーブル７に対しても面倒な結束作業を必要としない。
【００２３】
尚、ケーブル案内部１１は、マウントアングル２ａとマウントレール２ｂの間に配置されるよう形成されているが、壁面１１ａに設けた取付部１３を更に伸ばしてマウントレール２ｂの後方に対して別途ケーブル案内部１１を形成し、ケーブル案内部１１を延長しても良い。また、載置部１２は前後のアングル枠２ａ，２ｂに亘り長く形成しているが、ケーブル案内部１１の壁面より短く形成しても良い。
【符号の説明】
【００２４】
１・・補助レール、２・・アングル枠、２ａ・・マウントアングル（アングル枠）、２ｂ・・マウントレール（アングル枠）、３・・ケーブル、５・・機器、７・・ケーブル、１１・・ケーブル案内部、１１ａ・・内側壁面、１１ｂ・・外側壁面、１２・・載置部、１３・・取付部、１５・・開口部。
【図１】
0005777933.tif 000002
【図２】
0005777933.tif 000003
【図３】
0005777933.tif 000004
【図４】
0005777933.tif 000005